(57)【要約】      （修正有）【課題】導電端子を絶縁本体で安定的に保持することができる、カード用コネクタを提供する。【解決手段】カード用コネクタ１００は、基部１１と、前記基部の両端から前向きに延在するアーム部１２とを備え、前記基部とアーム部とによってカードを収容する収容空間１４が形成され、前記基部に、貫通した複数の端子溝を有する絶縁本体１と、接触部２１と、保持部と、回路基板に接続される接続部とを含む複数の導電端子とを備える。前記基部の後端には複数の凸状リブが後向きに突出するように形成され、前記各凸状リブ間に収容溝が形成され、前記凸状リブの両側面に、前記収容溝へ突出する少なくとも一つの凸部がそれぞれ形成され、前記導電端子は前記保持部と接続部とを連接する位置決め部を含み、前記導電端子が前記絶縁本体に装着される時に、前記位置決め部と前記絶縁本体の凸部とが当接するようにして、前記位置決め部が前記収容溝に収容される。【選択図】図１
0003151657.tif 000002
【実用新案登録請求の範囲】
【請求項１】
基部と、前記基部の両端から前向きに延在するアーム部とを備え、前記基部と前記アーム部とによってカードを収容するための収容空間が形成され、前記基部を、貫通した複数の端子溝を有する絶縁本体と、
前記カードと接触する接触部と、前記接触部の一端から延在して、前記絶縁本体の前記端子溝に保持される保持部と、回路基板に接続される接続部とを含む複数の導電端子と
を含むカード用コネクタにおいて、
前記基部の後端には複数の凸状リブが後向きに突出するように形成され、前記各凸状リブ間に収容溝が形成され、前記凸状リブの両側面に、前記収容溝へ突出する少なくとも一つの凸部がそれぞれ形成され、
前記導電端子は前記保持部と前記接続部とを連接する位置決め部を含み、
前記導電端子が前記絶縁本体に装着される時に、前記位置決め部と前記絶縁本体の凸部とが当接するようにして、前記位置決め部が前記収容溝に収容されることを特徴とするカード用コネクタ。
【請求項２】
前記導電端子の前記位置決め部の側縁と、前記絶縁本体の前記凸部とが当接していることを特徴とする請求項１に記載のカード用コネクタ。
【請求項３】
前記導電端子の接触部が、前記収容空間に突出して二列で配置され、前記位置決め部が、前記絶縁本体の収容溝に一列で配置されることを特徴とする請求項２に記載のカード用コネクタ。
【請求項４】
前記基部の前記凸部に対応する箇所に、前記収容溝と連通する開放溝が形成されることを特徴とする請求項1に記載のカード用コネクタ。
【考案の詳細な説明】
【技術分野】
【０００１】
本考案は、カード用コネクタに関し、特に、回路基板に実装されるカード用コネクタに関する。
【背景技術】
【０００２】
従来技術のカード用コネクタは、特許文献１に示すように、一般に絶縁本体と、絶縁本体に装着された複数の導電端子とを含み、絶縁本体は、複数の端子溝が設けられる基部と、基部の両端部から延出するように形成されたアーム部とを有し、基部と両アーム部とによって、カードを挿入するための収容空間が形成され、前記基部の端子溝と対応する導電端子が、収容空間で保持される。導電端子は、端子溝で保持される保持部と、前記保持部の一端から前記収容空間の側に突出してカードに接触する接触部と、前記保持部の他端から延出して回路基板に接続される接続部と、を含む。
【先行技術文献】
【特許文献】
【０００３】
【特許文献１】中国実用新案公告ＣＮ２８７４８１２Ｙ号明細書
【考案の概要】
【考案が解決しようとする課題】
【０００４】
従来のカード用コネクタの導電端子は、その接続部が絶縁本体の基部の後端に、露出するように並設され、導電端子の数量が多く、且つ導電端子のピッチが短いので、外力を受けて変形した導電端子同士が接触してショートする恐れがあり、カード用コネクタの正常な使用に大きな影響を及ぼす。そこで、新型カード用コネクタを開発することが必要である。
【０００５】
本考案は、導電端子が絶縁本体に安定的に保持されるカード用コネクタを提供することを目的とする。
【課題を解決するための手段】
【０００６】
本考案のカード用コネクタは、基部と、前記基部の両端から前向きに延在するアーム部とを備え、前記基部とアーム部とによってカードを収容する収容空間が形成され、前記基部に、貫通した複数の端子溝を有する絶縁本体と、前記カードと接触する接触部と、前記接触部の一端から延在して、前記絶縁本体の端子溝で保持される保持部と、回路基板に接続される接続部とを含む、複数の導電端子を備えるカード用コネクタにおいて、前記基部の後端には複数の凸状リブが後向きに突出するように形成され、前記各凸状リブ間に収容溝が形成され、前記凸状リブの両側面に、前記収容溝へ突出する少なくとも一つの凸部がそれぞれ形成され、前記導電端子は前記保持部と接続部とを連接する位置決め部を含み、前記導電端子が前記絶縁本体に装着される時に、前記位置決め部と前記絶縁本体の凸部とが当接するようにして、前記位置決め部が前記収容溝に収容されることを特徴とするカード用コネクタを提供する。
【考案の効果】
【０００７】
従来技術と比べ、本考案のカード用コネクタは以下の利点を有し、導電端子の位置決め部と前記絶縁本体の凸部とが当接するようにして、前記位置決め部が前記収容溝に収容されることによって、導電端子の動きを制限し、導電端子を絶縁本体に安定的に保持することができる。
【図面の簡単な説明】
【０００８】
【図１】本考案に係るカード用コネクタの組立斜視図である。
【図２】図１に示すカード用コネクタを別の角度から見た組立斜視図である。
【図３】図２に示すカード用コネクタの破線で示す部分の拡大図である。
【図４】本考案に係るカード用コネクタの分解斜視図である。
【図５】図４に示すカード用コネクタを別の角度から見た分解斜視図である。
【図６】図５に示すカード用コネクタの破線で示す部分の拡大図である。
【考案を実施するための形態】
【０００９】
以下、図１〜図６を参照して、本考案のカード用コネクタ１００の好ましい実施形態について説明する。
【００１０】
本考案のカード用コネクタ１００は、回路基板（図示せず）に実装され、ＣＦ（Ｃｏｍｐａｃｔ  Ｆｌａｓｈ）カード（図示せず、以下、カードと称する）を収容するために用いられ、絶縁本体１と、絶縁本体１に保持される複数の導電端子２と、絶縁本体１を回路基板に実装させる保持部材３と、を含む。
【００１１】
前記絶縁本体１は、長手方向に配置される基部１１と、基部１１の両端からそれぞれ前向きに延在する両アーム部１２とを含み、前記基部１１と両アーム部１２とによってカードを収容する収容空間１４が形成される。基部１１には、その前後方向に貫通し、且つ二列に配置される端子溝１１５が形成され、基部１１の後側には、前記基部１１の後側から垂直に起立するように配置される複数の凸状リブ１１２が突出して形成され、各凸状リブ１１２間には収容溝１１１が形成され、各凸状リブ１１２の両側面には、収容溝１１１の側に突出する複数の凸部１１３がそれぞれ形成される。基部１１の前記凸部１１３に対応する箇所には、収容溝１１１と連通する開放溝１１４が形成される。
【００１２】
前記アーム部１２には、収容空間１４と連通し、カードの挿入をガイドするためのガイド溝１３と、前記保持部材３を収容し、保持するための係合溝１２５とがそれぞれ形成される。
【００１３】
前記導電端子２は、カードと接触する接触部２１と、接触部２１から延在する、前記絶縁本体１の端子溝１１５で保持される保持部２２と、保持部２２から下向きに折曲がって形成される位置決め部２３と、位置決め部２３の末端から延在し、回路基板と接続する接続部２４とを含み、前記接触部２１はピン状を呈して、収容空間１４に突出して二列で配置される。前記位置決め部２３が一列で配置されるように絶縁本体１の収容溝１１１に収容され、位置決め部２３の両側縁と凸状リブ１１２に形成された凸部１１３とが当接することにより、導電端子２の動きが制限され、導電端子２が絶縁本体１に安定的に保持され、接続部２４を回路基板へ接続する作業が容易になる。
【００１４】
また、前記基部１１の前記凸部１１３に対応する箇所には収容溝１１１と連通する開放溝１１４が形成されるので、導電端子２が絶縁本体１に装着される時に、位置決め部２３と絶縁本体１の凸部１１３と当接することで生じたプラスチックの屑は、前記開放溝１１４に落ち込んでいる。
【００１５】
前記保持部材３は、絶縁本体１の係合溝１２５で係合される係止部３１と、係止部３１から折曲がって延在する固定部３２と、を含み、前記固定部３２が回路基板と結合している。
【００１６】
導電端子２の位置決め部２３の側縁と、絶縁本体１の凸部１１３とが当接することにより、導電端子２の動きが制限され、導電端子２が絶縁本体１に安定的に保持される。更に、導電端子２の接続部２４の平面度が保証され、接続部２４を回路基板に接続する半田作業に有利となる。
【００１７】
以上本考案について最良の実施の形態を参照して詳細に説明したが、実施形態はあくまでも例示的なものであり、これらに限定されない。また、本考案に基づきなしうる細部の修正或は変更など、いずれも本考案の請求範囲に属するものとする。
【符号の説明】
【００１８】
１  絶縁本体
１００  カード用コネクタ
１１  基部
１１１  収容溝
１１２  凸状リブ
１１３  凸部
１１４  開放溝
１１５  端子溝
１２  アーム部
１２５  係合溝
１３  ガイド溝
１４  収容空間
２  導電端子
２１  接触部
２２  保持部
２３  位置決め部
２４  接続部
３  保持部材
３１  係止部
３２  固定部 
【図１】
0003151657.tif 000003
【図２】
0003151657.tif 000004
【図３】
0003151657.tif 000005
【図４】
0003151657.tif 000006
【図５】
0003151657.tif 000007
【図６】
0003151657.tif 000008